(57)【特許請求の範囲】
【請求項１】
正面部の側部に形成されたコーナ部の基端部に内側方へ突出するフランジ状アンダカット部が形成され、コーナ部の途中に内側方へ突出し、次いでコーナ部基端方向へ延びるＬ字状アンダカット部が形成された射出成形品を射出成形するために、正面部に対面して前後にスライド可能に金型基部にガイドされた可動入子と、その側部に位置し、かつ前方へ向けて内側方へ向かう傾斜方向にスライド可能に可動入子にガイドされ、さらに型抜き時に前方へ押出し駆動されるように金型基部にガイドされた押出板に側方へスライド可能に取付けられたフランジ状アンダカット部用傾斜押出しコアと、その押出し駆動時に相対的に後退するように傾斜押出しコアに収納されたＬ字状アンダカット部用サイドエジェクトコアとを備えた射出成形用金型において、
押出板に、Ｌ字状アンダカット部用サイドエジェクトコアを前後方向にスライド可能にガイドするガイドブロックを前方へ向けて突設すると共に、傾斜押出しコアに、前方へ向けて内側方へ向かう傾斜方向にガイド溝を形成し、このガイド溝に嵌入してスライド可能にガイドされる係合突起部を前記サイドエジェクトコアに設けたことを特徴とする射出成形用金型。
【請求項２】
傾斜押出しコアに、ガイド溝に代えて、係合突起部を設け、サイドエジェクトコアに、係合突起部に代えて、この係合突起部を嵌入させてスライド可能にガイドされるように、前方へ向けて内側方へ向かう傾斜方向に前記ガイド溝を形成したことを特徴とする請求項１の射出成形用金型。
【発明の詳細な説明】
【０００１】
【発明の属する技術分野】
本発明は、型抜き時に金型と干渉するアンダカット部が形成されたコーナ部を備えた射出成形品、例えば自動車のバンパ等を射出成形するための射出成形用金型に関するものである。
【０００２】
【従来の技術】
この種の金型は、図６及び図７に示すように、コーナ部の基端部に内側方へ突出するフランジ状アンダカット部１ａ及びＬ字状アンダカット部１ｂが形成されリヤバンパ１等を対象として開示されている。そして、金型は、リヤバンパ１の正面部に対面して前後にスライド可能に金型基部４９にガイドされた可動入子４０と、その側部に位置し、かつ傾斜方向にスライド可能に可動入子４０にガイドされ、さらに型抜き時に前方へ押出し駆動されるように金型基部４９にガイドされた押出板４８に側方へスライド可能に取付けられたフランジ状アンダカット部用傾斜押出しコア４２と、その傾斜押出しコア４２に収納されると共に、傾斜方向に支持軸４３を介して可動入子４０で押出し駆動時に相対的に後退するように駆動され、さらに原位置復帰用ばね４４で付勢されたＬ字状アンダカット部用サイドエジェクトコア４１とを備えている。同様な金型が、特開平７−２６６３８４号公報によっても開示されている。
【０００３】
これにより、成形終了後にリヤバンパ１を固定入子から後退により分離した状態で、アンダカット部用傾斜押出しコア４２が前方へ押出し駆動されることにより、その内側方へのスライドでフランジ状アンダカット部１ａから型抜きされ、その際サイドエジェクトコア４１は可動入子４０で支持軸４３を介して斜め下方へ駆動されてＬ字状アンダカット部１ｂから後方へ分離される（図７参照）。
【０００４】
【発明が解決しようとする課題】
しかしながら、この金型では可動入子４０で支持軸４３の後端部を駆動するために、押出しストロークが支持軸４３を可動入子４０から外さない範囲に制限され、図７で示すコーナ部上方領域Ａにアンダカット部を設定することが困難になる。また、支持軸４３及び原位置復帰用ばね４４を収納する空間部を傾斜押出しコア４２に形成する必要があるために、特にコーナ部上方領域Ａ近辺に形成されると、傾斜押出しコア４２の剛性を低下させることにもなる。さらに、サイドエジェクトコアを原位置に復帰させるためのばねを用いるために、その劣化に応じ、定期的な保守が必要となる。
【０００５】
本発明は、このような点に鑑みて、コーナ部でのアンダカット部の設定範囲を広げることができ、しかもばねを用いないで済む射出成形用金型を提供することを目的とする。
【０００６】
【課題を解決するための手段】
本発明は、この目的を達成するために、請求項１により、正面部の側部に形成されたコーナ部の基端部に内側方へ突出するフランジ状アンダカット部が形成され、コーナ部の途中に内側方へ突出し、次いでコーナ部基端方向へ延びるＬ字状アンダカット部が形成された射出成形品を射出成形するために、正面部に対面して前後にスライド可能に金型基部にガイドされた可動入子と、その側部に位置し、かつ前方へ向けて内側方へ向かう傾斜方向にスライド可能に可動入子にガイドされ、さらに型抜き時に前方へ押出し駆動されるように金型基部にガイドされた押出板に側方へスライド可能に取付けられたフランジ状アンダカット部用傾斜押出しコアと、その押出し駆動時に相対的に後退するように傾斜押出しコアに収納されたＬ字状アンダカット部用サイドエジェクトコアとを備えた射出成形用金型において、押出板に、Ｌ字状アンダカット部用サイドエジェクトコアを前後方向にスライド可能にガイドするガイドブロックを前方へ向けて突設すると共に、傾斜押出しコアに、前方へ向けて内側方へ向かう傾斜方向にガイド溝を形成し、このガイド溝に嵌入してスライド可能にガイドされる係合突起部をサイドエジェクトコアに設けたことを特徴とする。
【０００７】
押出板の前方への駆動時に、傾斜押出しコアは側方へスライドすることによりフランジ状アンダカット部から型抜きされると共に、傾斜押出しコアの傾斜方向のガイド溝がスライドしつつサイドエジェクトコアの係合突起部を後方へ駆動することにより、サイドエジェクトコアはガイドブロックにガイドされて後方へスライドし、Ｌ字状アンダカット部から後方へ分離して脱型を容易にする。請求項２の場合、傾斜押出しコアの係合突起部がサイドエジェクトコアのガイド溝を駆動する。
【０００８】
【発明の実施の形態】
図１乃至図５を基に本発明の実施の形態による射出成形用金型について説明する。この金型は、図４に示すように、正面部１ｃの側部のコーナ部１ｄに、その自由端である基端部の内側方へ突出するフランジ状アンダカット部１ａと、途中に内側方へ突出し、次いで基端方向へ延びるＬ字状アンダカット部１ｂとが形成されたリアバンパ１用に構成されたもので、図１は、固定入子に対して可動入子９、傾斜押出しコア２０及びサイドエジェクトコア３０が閉じて射出成形が終了した後に後退させて、固定入子に対して分離させた状態を示す。Ｌ字状アンダカット部１ｂは、背面１Ａ及び底面１Ｂを備えると共に、前方側に側面１Ｃが形成され、この側面と背面１Ａとで前後方向のＬ字形部分を備えている。可動入子９は、金型基部３に前後方向にスライド可能に図示しない構造で支持されている。
【０００９】
傾斜押出しコア２０は、フランジ状アンダカット部１ａを型抜するように、金型基部３に前後方向に進退可能にガイドされたエジェクタロッド６に取付けられた押出板４に、その溝状ガイド部４ａで側方へスライド可能に取付けられると共に、図２に示すように、可動入子９に前方へ向けて徐々に内側方へ向かう傾斜方向に設けられたレール状ガイド部９ａにスライド可能にガイド溝２９でガイドされている。可動入子９と傾斜押出しコア２０との互いの対接面９ｂはガイド部９ａに沿った滑動可能な傾斜面として形成されている。
【００１０】
サイドエジェクトコア３０は、傾斜押出しコア２０に形成された側方へ貫通する開口部２１に収納されると共に、この開口部の周面２１ａとでＬ字状アンダカット部１ｂ用の中空部３４を形成している。このサイドエジェクトコアは、図１及び図２に示すように、押出板４に可動入子９に側面に沿って前方へ開口部２１内に突設された厚板状のガイドブロック１０に設けられたレール状ガイド部１１に、相対的に前後方向へスライド可能に端部の溝３９でガイドされている。
【００１１】
開口部２１とサイドエジェクトコア３０との互いのコーナ部基端側の対接面３０ａは、可動入子９に向けて前方へ向かう傾斜面として形成されると共に、この傾斜面に沿って、図３に示すように、傾斜押出しコア２０及びサイドエジェクトコア３０には、ガイド溝３２が形成され、キー３１がそのサイドエジェクトコア３０側に係合突起部として固定されている。これにより、傾斜押出しコア２０の側方へのスライドに伴ってサイドエジェクトコア３０は、後方へスライド駆動される。
【００１２】
このように構成された射出成形用金型の型抜き動作は次の通りである。成形終了後、固定入子に対して可動入子９及び押出板４を一旦後退させてリアバンパ１を固定入子から分離させる（図１）。次いで、押出板４を前進させると、ガイド部４ａ、９ａにガイドされて傾斜押出しコア２０は側方へ移動し（図５Ａ参照）、サイドエジェクトコア３０のキー３１が傾斜押出しコア２０のガイド溝３２に嵌入していることにより駆動されて、サイドエジェクトコア３０は対接面３０ａに沿った互いの滑動により相対的に後方へスライドする。最終的な前進位置で傾斜押出しコア２０はフランジ状アンダカット部１ａから完全に型抜きさせられ、サイドエジェクトコア３０はフランジ状アンダカット部１ａから分離される（図５Ｂ参照）。
【００１３】
尚、サイドエジェクトコア３０の傾斜押出しコア２０に対する後方へのスライド駆動は、傾斜押出しコア２０に設けた係合突起部をサイドエジェクトコア３０のガイド溝３２に嵌入することにより行うこともできる。本発明によればサイドエジェクトコア３０の位置を傾斜押出しコア２０のさらに前方へ移動させてもスライド可能にガイドするだけで済み、双方のコアの剛性が確保される。
【００１４】
【発明の効果】
以上、本発明によれば、サイドエジェクトコアが傾斜押出しコアの単なる凹凸ガイド構造で後方へ駆動されることにより、金型の剛性を確保して車両取付け用リングカット部の設定範囲を広くすることができる。ばねを用いないために、金型の保守周期を大幅に長くすることができる。
【図面の簡単な説明】
【図１】本発明の実施の形態による射出成形用金型の要部を示すもので、図４のＡ線断面図である。
【図２】図１のＢ線断面図である。
【図３】図１のＣ線断面図である。
【図４】リヤバンパのコーナ部の斜視図である。
【図５】同金型の動作を説明する断面図である。
【図６】従来の金型の要部断面図である。
【図７】図６による金型の型抜状態を示す断面図である。
【符号の説明】
１  リアバンパ
１ａ  フランジ状アンダカット部
１ｂ  Ｌ字状アンダカット部
４  押出板
９  可動入子
１０  ガイドブロック
２０  傾斜押出しコア
２１  開口部
３０  サイドエジェクトコア
３１  キー
３２  ガイド溝
３４  中空部
【図１】
0003679610.tif 000002
【図２】
0003679610.tif 000003
【図３】
0003679610.tif 000004
【図４】
0003679610.tif 000005
【図５】
0003679610.tif 000006
【図６】
0003679610.tif 000007
【図７】
0003679610.tif 000008